(57)【要約】【課題】  簡易な操作によって、録画データの末尾部分の不要映像を削除できるようにする。【解決手段】  録画時間取得処理部２１は、録画情報記憶部４１が記憶する録画データの録画時間の情報を求める。削除部分取出処理部２２は、求めた録画時間の情報と削除時間記憶部４２が予め記憶する削除時間情報とにもとづいて、録画データから削除候補の映像を出力用情報として抽出する。削除部分出力装置３１は、出力用情報にもとづいて削除候補の映像を出力しユーザに提示する。削除了解入力部５１が削除処理の実行指示を入力すると、末尾削除処理部６１は、削除時間情報にもとづいて、録画データから末尾部分の不要映像を削除する。そして、削除結果格納処理部６２は、不要映像の削除処理後の録画データを録画情報記憶部４１に記憶させる。【選択図】  図１
2005348128.tif 000002
【特許請求の範囲】
【請求項１】
録画データを編集処理するための録画情報処理装置であって、
予め定められた所定の時間長を記憶する時間情報記憶手段と、
映像の削除指示を入力する削除指示入力手段と、
前記削除指示入力手段が削除指示を入力すると、録画データの録画終了点から前記時間情報記憶手段が記憶する時間長分遡った点までの映像を前記録画データから削除する映像削除手段とを
備えたことを特徴とする録画情報処理装置。
【請求項２】
削除対象の映像の候補の出力指示を入力する出力指示入力手段と、
前記出力指示入力手段が出力指示を入力すると、録画データの録画終了点から時間情報記憶手段が記憶する時間長分遡った点までの映像を、削除対象の映像の候補として前記録画データから抽出する候補映像抽出手段と、
前記候補映像抽出手段が抽出した映像を出力する映像出力手段とを備えた
請求項１記載の録画情報処理装置。
【請求項３】
録画データの録画時間の情報を求める録画時間算出手段を備え、
候補映像抽出手段は、
前記録画時間算出手段が求めた録画時間の情報と時間情報記憶手段が記憶する時間長とにもとづいて、前記録画データから映像を抽出する抽出開始時間を特定し、
前記特定した抽出開始時間の点から録画終了点までの映像を前記録画データから抽出する
請求項２記載の録画情報処理装置。
【請求項４】
映像削除手段は、録画データの録画開始点から時間情報記憶手段が記憶する時間長分繰り下がった点までの映像を前記録画データから削除する請求項１記載の録画情報処理装置。
【請求項５】
削除対象の映像の候補の出力指示を入力する出力指示入力手段と、
前記出力指示入力手段が出力指示を入力すると、録画データの録画開始点から時間情報記憶手段が記憶する時間長分繰り下がった点までの映像を、削除対象の映像の候補として前記録画データから抽出する候補映像抽出手段と、
前記候補映像抽出手段が抽出した映像を出力する映像出力手段とを備えた
請求項４記載の録画情報処理装置。
【請求項６】
時間情報記憶手段は、１５秒または１５秒の倍数の時間長を予め記憶し、
映像削除手段は、番組を録画した録画データから、前記時間情報記憶手段が記憶する時間長にもとづいて、１５秒または１５秒の倍数の時間長分のコマーシャル映像を削除する
請求項１から請求項５のうちのいずれか１項に記載の録画情報処理装置。
【請求項７】
録画データを編集処理する録画情報処理方法であって、
予め定められた所定の時間長を記憶するステップと、
映像の削除指示を入力するステップと、
前記削除指示を入力すると、録画データの録画終了点から前記記憶する時間長分遡った点までの映像を前記録画データから削除するステップとを含む
ことを特徴とする録画情報処理方法。
【請求項８】
削除対象の映像の候補の出力指示を入力するステップと、
前記出力指示を入力すると、録画データの録画終了点から記憶する時間長分遡った点までの映像を、削除対象の映像の候補として前記録画データから抽出するステップと、
前記抽出した映像を出力するステップとを含む
請求項７記載の録画情報処理方法。
【発明の詳細な説明】
【技術分野】
【０００１】
本発明は、ハードディスク（ＨＤＤ）やＤＶＤ−ＲＡＭなど録画後に編集が可能な記録媒体に記録した録画データを処理する録画情報処理装置および録画情報処理方法に関し、特に録画データの末尾部分の不要な映像を指定された時間長分遡って削除することによって録画データの容量を削減できる録画情報処理装置および録画情報処理方法に関する。
【背景技術】
【０００２】
ハードディスク装置などにテレビジョン番組の予約録画を行う場合、ユーザは、番組表にもとづいて番組名やコードを指定して番組の録画を予約する。録画予約によって番組を録画する場合、一般に、録画対象の番組の番組開始時刻から次の番組の番組開始時刻までの映像が録画されることが多い。そのため、民間放送の番組を録画する場合、録画データの先頭部分には録画対象の番組が録画されることになるが、録画データの末尾部分には１〜２分程度のコマーシャル映像が録画されてしまうことになる。
【０００３】
コマーシャル映像が録画されないようにするため、予め録画終了時刻を１〜２分程度早めるように設定して予約録画を行うことが考えられる。しかし、番組の種類や内容によってはコマーシャル映像を入れずに放送される番組もあるので、単に予約時刻をシフトさせて設定しただけは全ての番組の予約録画を適切に行えるとは限らない。また、録画後に手動で録画データ中の不要映像を検索し削除範囲を指定して削除していたのでは、ユーザの手間が大きい。
【０００４】
録画データの不要部分の消去など録画データの編集を行える装置として、特許文献１には、録画データから録画終了時点直前の不要な画像を確実に消去できる画像データ記録装置が記載されている。特許文献１に記載された画像データ記録装置は、ユーザによって設定された不要部時間にもとづいて、録画データから不要部分の画像を自動的に削除する。
【０００５】
また、特許文献２には、番組の部分的な消去や非消去の制御を可能とした番組録画再生装置が記載されている。特許文献２に記載された番組録画再生装置は、ハードディスクなどの記憶容量が不足すると、ユーザ操作の履歴情報にもとづいて録画コンテンツの不要部分を判定し、判定した消去領域の情報をユーザに提示する。そして、番組録画再生装置は、ユーザの消去指示に従って消去領域を録画コンテンツから消去する。
【０００６】
【特許文献１】特開２００２−１５２６７３号公報（段落００２９−００３５、図１，図７）
【特許文献２】特開２００４−７１５５号公報（段落００８７−００９５、図１，図２，図１３）
【発明の開示】
【発明が解決しようとする課題】
【０００７】
特許文献１に記載された画像データ記録装置を用いれば、指定された時間長分の不要映像を録画データから消去することによって、ユーザの操作負担をある程度軽減することができる。しかし、ユーザは、不要部分の映像時間長を予め予想して設定操作を行わなければならない。また、ユーザは、削除する映像を予め削除前に確認することはできず、必要な箇所の映像まで削除してしまう可能性がある。
【０００８】
また、特許文献２に記載された番組録画再生装置によれば、ユーザの操作履歴にもとづいて、早送り再生した部分など録画データの不要部分を自動判定して消去することができる。しかし、コマーシャル映像などユーザ操作にもとづかない不要部分を消去することはできない。
【０００９】
そこで、本発明は、簡易な操作によって、録画データの末尾部分の不要映像を削除できる録画情報処理装置および録画情報処理方法を提供することを目的とする。
【課題を解決するための手段】
【００１０】
本発明による録画情報処理装置は、録画データを編集処理するための録画情報処理装置であって、予め定められた所定の時間長を記憶する時間情報記憶手段（削除時間記憶部４２によって実現される）と、映像の削除指示を入力する削除指示入力手段（削除了解入力部５１によって実現される）と、削除指示入力手段が削除指示を入力すると、録画データの録画終了点から時間情報記憶手段が記憶する時間長分遡った点までの映像を録画データから削除する映像削除手段（末尾削除処理部６１によって実現される）とを備えたことを特徴とする。
【００１１】
また、録画情報処理装置は、削除対象の映像の候補の出力指示を入力する出力指示入力手段（開始通知入力部１１によって実現される）と、出力指示入力手段が出力指示を入力すると、録画データの録画終了点から時間情報記憶手段が記憶する時間長分遡った点までの映像を、削除対象の映像の候補として録画データから抽出する候補映像抽出手段（削除部分取出処理部２２によって実現される）と、候補映像抽出手段が抽出した映像を出力する映像出力手段（削除部分出力装置３１によって実現される）とを備えたものであってもよい。そのような構成によれば、録画終了点から所定時間長分だけ遡った点までの映像を簡易な操作で確認できるので、ユーザは、削除箇所の候補映像を容易に確認し削除範囲を決定することができる。
【００１２】
また、録画情報処理装置は、録画データの録画時間の情報を求める録画時間算出手段（録画時間取得処理部２１によって実現される）を備え、候補映像抽出手段は、録画時間算出手段が求めた録画時間の情報と時間情報記憶手段が記憶する時間長とにもとづいて、録画データから映像を抽出する抽出開始時間（削除開始時間）を特定し、特定した抽出開始時間の点から録画終了点までの映像を録画データから抽出するものであってもよい。
【００１３】
また、映像削除手段は、録画データの録画開始点から時間情報記憶手段が記憶する時間長分繰り下がった点までの映像を録画データから削除するものであってもよい。そのような構成によれば、簡易な操作によって、録画データの先頭部分の不要映像を削除することができる。
【００１４】
また、録画情報処理装置は、削除対象の映像の候補の出力指示を入力する出力指示入力手段と、出力指示入力手段が出力指示を入力すると、録画データの録画開始点から時間情報記憶手段が記憶する時間長分繰り下がった点までの映像を、削除対象の映像の候補として録画データから抽出する候補映像抽出手段と、候補映像抽出手段が抽出した映像を出力する映像出力手段とを備えたものであってもよい。そのような構成によれば、録画開始点から所定時間長分だけ繰り下がった点までの映像を簡易な操作で確認できるので、ユーザは、削除箇所の候補映像を容易に確認し削除範囲を決定することができる。
【００１５】
また、時間情報記憶手段は、１５秒または１５秒の倍数の時間長を予め記憶し、映像削除手段は、番組を録画した録画データから、時間情報記憶手段が記憶する時間長にもとづいて、１５秒または１５秒の倍数の時間長分のコマーシャル映像を削除するものであってもよい。そのような構成によれば、番組を録画した録画データから、簡易な操作によって、所定時間長分のコマーシャル映像などの不要映像を削除することができる。
【００１６】
本発明による録画情報処理方法は、録画データを編集処理する録画情報処理方法であって、予め定められた所定の時間長を記憶するステップと、映像の削除指示を入力するステップと、削除指示を入力すると、録画データの録画終了点から記憶する時間長分遡った点までの映像を録画データから削除するステップとを含むことを特徴とする。
【００１７】
また、録画情報処理方法は、削除対象の映像の候補の出力指示を入力するステップと、出力指示を入力すると、録画データの録画終了点から記憶する時間長分遡った点までの映像を、削除対象の映像の候補として録画データから抽出するステップと、抽出した映像を出力するステップとを含むものであってもよい。そのような構成によれば、録画終了点から所定時間長分だけ遡った点までの映像を簡易な操作で確認できるので、ユーザは、削除箇所の候補映像を容易に確認し削除範囲を決定することができる。
【発明の効果】
【００１８】
本発明によれば、削除指示に従って、録画データの録画終了点から予め記憶する所定の時間長分遡った点までの映像を録画データから削除する。従って、簡易な操作によって、録画データの末尾部分の不要映像を削除することができる。
【発明を実施するための最良の形態】
【００１９】
以下、本発明の実施の形態を図面を参照して説明する。図１は、本発明による録画情報処理装置の構成の一例を示すブロック図である。図１に示すように、録画情報処理装置は、入力部１，５と、データ処理装置２，６と、出力装置３と、記憶装置４とを含む。本実施の形態では、予め予約録画によって録画したテレビジョン番組の録画データを編集する場合を説明する。本実施の形態では、録画情報処理装置を用いて録画データの末尾部分のコマーシャル映像を削除する。
【００２０】
記憶装置４は、具体的には、ハードディスク装置やＤＶＤ−ＲＡＭによって実現される。図１に示すように、記憶装置４は、録画情報記憶部４１、削除時間記憶部４２および削除情報記憶部４３を含む。
【００２１】
録画情報記憶部４１は、予約録画を行った録画データを予め記憶する。削除時間記憶部４２は、予め定められた所定の時間長を記憶する。本実施の形態において、削除時間記憶部４２が記憶する時間長は、録画データから削除する映像の時間長の候補となる。以下、削除時間記憶部４２が記憶する時間長を削除時間情報ともいう。例えば、通常のテレビジョン番組を録画する場合、１つ当たりのコマーシャル映像の映像時間は１５秒や３０秒間であることが多い。そのため、削除時間記憶部４２は、例えば、デフォルトとして、「１５秒」、「３０秒」または「１分」などの削除時間情報を記憶する。
【００２２】
削除情報記憶部４３は、録画データのうち、削除する候補となる箇所の映像を一時記憶する。以下、削除情報記憶部４３が記憶する削除候補の箇所の映像を出力用情報ともいう。本実施の形態では、出力用情報は、削除候補の箇所が削除してよい映像であるか否かをユーザが判断するために用いられる。
【００２３】
入力部１および入力部５は、具体的には、プログラムに従って動作するＣＰＵおよびキーボードやマウスなどの入力装置によって実現される。図１に示すように、入力部１は、開始通知入力部１１を含む。開始通知入力部１１は、録画情報処理装置の機能を使用して、削除候補となる箇所の映像を抽出し出力する処理の実行開始の通知を受け取る機能を備える。例えば、開始通知入力部１１は、ユーザの入力操作に従って、削除する候補となる箇所の映像を録画データから抽出し出力する処理の実行開始の指示を入力する。また、図１に示すように、入力部５は、削除了解入力部５１を含む。削除了解入力部５１は、ユーザの入力操作に従って、録画データから不要時間長分の映像を削除する処理の実行指示を入力する機能を備える。
【００２４】
出力装置３は、具体的には、プログラムに従って動作するＣＰＵおよびディスプレイ装置によって実現される。図１に示すように、出力装置３は、削除部分出力装置３１を含む。削除部分出力装置３１は、録画データのうち削除対象の候補となる箇所の映像をユーザに確認させるため、映像を出力する機能を備える。例えば、削除部分出力装置３１は、削除対象の候補となる箇所の映像をディスプレイ装置に表示する。
【００２５】
データ処理装置２，６は、具体的には、プログラムに従って動作するＣＰＵによって実現される。図１に示すように、データ処理装置２は、録画時間取得処理部２１、削除部分取出処理部２２および削除部分再生処理部２３を含む。また、図１に示すように、データ処理装置６は、末尾削除処理部６１および削除結果格納処理部６２を含む。
【００２６】
録画時間取得処理部２１は、録画情報記憶部４１から録画データを抽出し、抽出した録画データの録画時間の情報を求める機能を備える。
【００２７】
削除部分取出処理部２２は、録画時間取得処理部２１が求めた録画時間の情報と削除時間記憶部４２が記憶する削除時間情報とにもとづいて、録画情報記憶部４１が記憶する録画データから、削除対象の候補となる箇所の映像を抽出する機能を備える。本実施の形態では、削除部分取出処理部２２は、録画データに含まれる録画開始点から録画終了点までの映像のうち、録画終了点から削除時間情報の時間長分遡った点までの映像を、削除対象の映像の候補として抽出する。また、削除部分取出処理部２２は、抽出した映像を出力用情報として削除情報記憶部４３に一時記憶させる機能を備える。
【００２８】
削除部分再生処理部２３は、削除情報記憶部４３から出力用情報を抽出する機能を備える。また、削除部分再生処理部２３は、抽出した出力用情報を削除部分出力装置３１に渡し、削除部分出力装置３１に映像の出力を指示する機能を備える。
【００２９】
末尾削除処理部６１は、削除時間記憶部４２が記憶する削除時間情報にもとづいて、録画情報記憶部４１が記憶する録画データから不要時間長分の映像を削除する機能を備える。本実施の形態では、末尾削除処理部６１は、録画データの録画終了点から削除時間情報の時間長分遡った点までの映像を録画データから削除する。削除結果格納処理部６２は、末尾削除処理部６１が不要映像の削除処理を行った録画データを録画情報記憶部４１に記憶させる機能を備える。
【００３０】
なお、図１では入力部１と入力部５とを別々の入力手段として示しているが、入力部１と入力部５とは同一であってもよい。また、図１ではデータ処理装置２とデータ処理装置６とを別々の装置として示しているが、データ処理装置２とデータ処理装置６とは同一の装置であってもよい。
【００３１】
次に、動作について説明する。本実施の形態では、録画情報処理装置は、削除する候補となる箇所の映像を録画データから抽出しユーザに提示する処理を実行する。ユーザは、削除候補の映像を確認し削除してよい映像であると判断すると、録画情報処理装置を操作して、削除処理の実行を入力指示する。録画情報処理装置は、ユーザから不要映像の削除の実行を指示されると、録画データから不要時間長分の映像（本例では、末尾部分のコマーシャル映像）を削除する処理を実行する。
【００３２】
まず、削除する候補となる箇所の映像を録画データから抽出しユーザに提示する場合の動作を説明する。図２は、削除する候補となる箇所の映像を録画データから抽出しユーザに提示する削除候補提示処理の一例を示す流れ図である。本実施の形態では、録画情報記憶部４１は、処理対象となる録画データ（本例では、予約録画したテレビジョン番組の録画データ）を予め記憶している。また、削除時間記憶部４２は、削除時間情報を予め記憶している。なお、本実施の形態では、削除時間記憶部４２が予め削除時間情報「３０秒」を記憶している場合を説明する。
【００３３】
開始通知入力部１１は、ユーザの入力操作に従って処理の実行開始の指示を入力し、データ処理装置２に処理の開始を指示する。データ処理装置２は、開始通知入力部１１からの処理開始の指示に従って処理を開始する（ステップＳ１１）。
【００３４】
データ処理装置２の録画時間取得処理部２１は、録画情報記憶部４１から録画データを抽出する。そして、録画時間取得処理部２１は、抽出した録画データの録画時間の情報を求める（ステップＳ２１）。例えば、録画情報記憶部４１は、予め録画開始時刻および録画終了時刻を付加された録画データを記憶している。この場合、録画時間取得処理部２１は、例えば、抽出した録画データにもとづいて、録画開始時刻や録画終了時刻、全体の録画時間長などの録画時間の情報を求める。
【００３５】
削除部分取出処理部２２は、削除時間記憶部４２から削除時間情報を抽出する。また、削除部分取出処理部２２は、抽出した削除時間情報と録画時間取得処理部２１が求めた録画時間の情報とにもとづいて、録画データから映像を削除する削除開始時間の候補を求める。例えば、削除部分取出処理部２２は、録画時間の情報と削除時間情報「３０秒」とにもとづいて、録画終了時刻から３０秒遡った時間を削除開始時間の候補として求める。
【００３６】
削除部分取出処理部２２は、録画情報記憶部４１から録画データを抽出する。削除部分取出処理部２２は、抽出した録画データから、ステップＳ１３で求めた削除開始時間の点から録画終了点までの映像を抽出する。例えば、削除部分取出処理部２２は、録画データの録画終了点から３０秒間遡った点までの映像を抽出する。そして、削除部分取出処理部２２は、抽出した映像を出力用情報として削除情報記憶部４３に一時記憶させる（ステップＳ１４）。
【００３７】
削除部分再生処理部２３は、削除情報記憶部４３から出力用情報を抽出する。また、削除部分再生処理部２３は、出力用情報を削除部分出力装置３１に渡して、削除候補箇所の映像の出力を出力装置３に指示する（ステップＳ１５）。
【００３８】
削除部分出力装置３１は、削除部分再生処理部２３からの出力用情報にもとづて、削除候補箇所の映像を出力する（ステップＳ１６）。例えば、削除部分出力装置３１は、削除候補の箇所の映像をディスプレイ装置に表示する。
【００３９】
ユーザは、削除部分出力装置３１の出力結果を見て、削除候補の映像を削除してよいか否かを確認する。削除してよい映像である場合、ユーザは、入力部５を操作して不要時間長分の映像の削除処理の実行を指示する。例えば、ディスプレイ装置に出力された映像にコマーシャル映像だけが含まれていた場合、ユーザは、入力部５を操作して削除処理の実行を指示する。また、例えば、ディスプレイ装置に出力された映像に番組部分など必要な映像も含まれていた場合、ユーザは、入力部５を操作して映像の削除不可を指示する。
【００４０】
録画情報処理装置は、ユーザによって映像の削除処理の実行が入力指示されると、録画データから不要時間長分の映像の削除する処理を実行する。また、録画情報処理装置は、ユーザによって映像の削除不可が入力指示されると、再度ステップＳ１１からステップＳ１６までの処理を実行し、削除する候補となる箇所の映像を録画データから抽出しユーザに提示する処理を行う。この場合、例えば、録画情報処理装置は、ユーザの入力操作に従って、新たに削除時間情報を入力する。また、録画情報処理装置は、削除時間記憶部４２が記憶する削除時間情報を新たに入力された情報に更新する。そして、録画情報処理装置は、更新後の削除時間情報にもとづいて、再度ステップＳ１１からステップＳ１６までの処理を実行する。
【００４１】
次に、録画データから不要時間長分の映像を削除する場合の動作を説明する。図３は、録画データから不要時間長分の映像を削除する映像削除処理の一例を示す流れ図である。削除了解入力部５１は、ユーザの入力操作に従って映像の削除処理の実行指示を入力し、データ処理装置６に処理の開始を指示する。データ処理装置６は、削除了解入力部５１からの処理開始の指示に従って処理を開始する（ステップＳ２１）。
【００４２】
データ処理装置６の末尾削除処理部６１は、録画情報記憶部４１から録画データを抽出する。また、末尾削除処理部６１は、削除時間記憶部４２から削除時間情報を抽出する。そして、末尾削除処理部６１は、抽出した削除時間情報にもとづいて、録画データから不要時間長分の映像を削除する（ステップＳ２２）。例えば、末尾削除処理部６１は、削除時間情報「３０秒」にもとづいて、録画データの録画終了点から３０秒間遡った点までの映像を録画データから削除する。
【００４３】
削除結果格納処理部６２は、末尾削除処理部６１が不要時間長分の映像を削除した録画データを録画情報記憶部４１に記憶させる（ステップＳ２３）。
【００４４】
以上のように、本実施の形態によれば、録画情報処理装置は、予め記憶する削除時間情報にもとづいて、録画データ中の削除対象の映像の削除開始時間を特定する。また、録画情報処理装置は、特定した削除開始時間の点から録画終了点までの映像を削除対象候補の映像として抽出し出力する。録画終了点から所定時間長分だけ遡った点までの映像を簡易な操作で確認できるので、ユーザは、削除箇所の候補映像を容易に確認し削除範囲を決定することができる。また、本実施の形態によれば、録画情報処理装置は、決定後の削除時間情報にもとづいて録画データから不要時間長分の映像を削除する。従って、簡易な操作によって、録画データの末尾部分の不要映像を削除することができる。
【００４５】
特に、テレビジョン番組を予約録画した録画データの場合、録画データの末尾部分に「１５秒」、「３０秒」または「１分」など所定時間長分のコマーシャル映像が含まれることが多い。この場合、「１５秒」、「３０秒」または「１分」などの削除時間情報を用いることによって、コマーシャル映像など不要映像を容易に探し出すことができ、不要部分の映像を容易に削除することができる。また、本実施の形態で示した操作を繰り返し実行することによって、各録画データの末尾部分の不要映像を順に削除することができ、録画データの容量を容易に削減することができる。また、必要箇所の映像だけを含む録画データの保存を可能とすることができる。
【００４６】
なお、本実施の形態では、録画データから末尾部分の不要映像を削除する場合を説明したが、録画情報処理装置は、末尾部分以外の箇所の不要映像を削除する場合にも適用できる。例えば、地方の放送局では、テレビジョン番組の最初の部分にコマーシャル映像を入れて放送する場合もある。この場合、録画情報処理装置は、削除時間情報にもとづいて、録画データの先頭から「１５秒」、「３０秒」または「１分」繰り下がった箇所までの映像を削除対象映像として抽出し、ユーザに提示する処理を行ってもよい。そして、録画情報処理装置は、ユーザの削除実行指示に従って、録画データの先頭部分の不要映像を削除する処理を行ってもよい。
【産業上の利用可能性】
【００４７】
本発明は、テレビジョン番組などを予約録画／録音する場合、末尾部分のコマーシャル映像など不要データを削除する用途に適用できる。
【図面の簡単な説明】
【００４８】
【図１】本発明による録画情報処理装置の構成の一例を示すブロック図である。
【図２】削除する候補となる箇所の映像を録画データから抽出しユーザに提示する削除候補提示処理の一例を示す流れ図である。
【図３】録画データから不要時間長分の映像を削除する映像削除処理の一例を示す流れ図である。
【符号の説明】
【００４９】
１，５  入力部
２，６  データ処理装置
３  出力装置
４  記憶装置
１１  開始通知入力部
２１  録画時間取得処理部
２２  削除部分取出処理部
２３  削除部分再生処理部
３１  削除部分出力装置
４１  録画情報記憶部
４２  削除時間記憶部
４３  削除情報記憶部
５１  削除了解入力部
６１  末尾削除処理部
６２  削除結果格納処理部
【図１】
2005348128.tif 000003
【図２】
2005348128.tif 000004
【図３】
2005348128.tif 000005